(57)【要約】【課題】  操作部の構造の単純化が可能な照明装置を提供する。【解決手段】  動作モードの変更を指示する操作入力、並びに、動作パラメータの増減を指示する操作入力を受け付ける操作部２１と、それぞれ電気的な光源１０１〜１０３を点灯させる複数個の光源駆動部１１１〜１１３と、各光源１０１〜１０３をそれぞれ動作モードと動作パラメータとに応じた光束で点灯させるように各光源駆動部１１１〜１１３をそれぞれ制御する制御部１３とを備える。少なくとも１個の動作モードでは、少なくとも１個の光源駆動部１１１〜１１３は、動作パラメータが最大値であるときと、動作パラメータが最小値であるときとの少なくとも一方で、動作パラメータが他の値であるときと比べて光源１０１〜１０３の点灯・消灯の状態を異ならせるように、制御部１３によって制御される。【選択図】図１
2013149480.tif 000002
【特許請求の範囲】
【請求項１】
動作モードの変更を指示する操作入力、並びに、所定の可変範囲内での動作パラメータの増減を指示する操作入力を受け付ける操作部と、
それぞれ電気的な光源を少なくとも１個ずつ点灯させる複数個の光源駆動部と、
前記動作モードと前記動作パラメータとに応じて各前記光源駆動部をそれぞれ制御する制御部とを備え、
少なくとも１個の前記動作モードでは、少なくとも１個の前記光源駆動部は、前記動作パラメータが前記可変範囲の最大値であるときと、前記動作パラメータが前記可変範囲の最小値であるときとの少なくとも一方で、前記動作パラメータが他の値であるときと比べて前記光源の点灯・消灯の状態を異ならせるように、前記制御部によって制御されることを特徴とする照明装置。
【請求項２】
前記光源として、主光源と、補助光源とを備えることを特徴とする請求項１記載の照明装置。
【請求項３】
前記制御部は、少なくとも１個の前記動作モードでは、前記動作パラメータが前記可変範囲の最大値であるときと、前記動作パラメータが前記可変範囲の最小値であるときとの少なくとも一方で、前記動作パラメータが他の値であるときと比べて前記主光源の点灯・消灯の状態を異ならせることを特徴とする請求項２記載の照明装置。
【請求項４】
前記制御部は、少なくとも１個の前記動作モードでは、前記動作パラメータが前記可変範囲の最大値であるときと、前記動作パラメータが前記可変範囲の最小値であるときとの少なくとも一方で、前記動作パラメータが他の値であるときと比べて前記補助光源の点灯・消灯の状態を異ならせることを特徴とする請求項２記載の照明装置。
【請求項５】
前記制御部は、少なくとも１個の前記動作モードでは、前記動作パラメータが前記可変範囲の最大値であるときのみ前記補助光源を点灯させることを特徴とする請求項４記載の照明装置。
【請求項６】
前記動作モード毎の前記動作パラメータが保存される記憶部を備え、
前記制御部は、前記動作モードが変更されたときに、変更前の前記動作モードでの前記動作パラメータを前記記憶部に保存するとともに、変更後の前記動作モードでの前記動作パラメータを前記記憶部から読み出して以後の動作に用いることを特徴とする請求項１〜５のいずれか１項に記載の照明装置。
【発明の詳細な説明】
【技術分野】
【０００１】
本発明は、照明装置に関するものである。
【背景技術】
【０００２】
従来から、動作モードを切り換えることができる照明装置が提供されている（例えば、特許文献１参照）。
【０００３】
配光特性や光色が互いに異なる複数種類の光源を有する場合、点灯させる光源の組み合わせや、点灯させる光源の間での光束のバランスや、操作入力のうち光束の増減を指示するもの（いわゆる調光操作）に対応していずれの光源を制御するかといった違いで、多数の動作モードが存在しうる。
【先行技術文献】
【特許文献】
【０００４】
【特許文献１】特許第３１２７９６４号公報
【発明の概要】
【発明が解決しようとする課題】
【０００５】
しかしながら、動作モードの個数が多いほど、操作入力を受け付ける操作部の構造が複雑になり、操作性が低下する。
【０００６】
例えば、動作モードに一対一に対応する複数個の押釦を操作部が有し、押操作された押釦に対応する動作モードに切り替えられるような構成の場合、少なくとも動作モードと同数の押釦が必要となる。そして、押釦の個数が多いほど、使用者が所望の動作を実現するためにどの押釦を押操作すればよいか分からなくなる可能性が高くなる。また、押釦の個数の増加は操作部の大型化につながりやすく、操作部の大型化を避けるためには個々の押釦を小さくせざるを得ない。
【０００７】
本発明は、上記事由に鑑みて為されたものであり、その目的は、操作部の構造の単純化が可能な照明装置を提供することにある。
【課題を解決するための手段】
【０００８】
本発明の照明装置は、動作モードの変更を指示する操作入力、並びに、所定の可変範囲内での動作パラメータの増減を指示する操作入力を受け付ける操作部と、それぞれ電気的な光源を少なくとも１個ずつ点灯させる複数個の光源駆動部と、前記動作モードと前記動作パラメータとに応じて各前記光源駆動部をそれぞれ制御する制御部とを備え、少なくとも１個の前記動作モードでは、少なくとも１個の前記光源駆動部は、前記動作パラメータが前記可変範囲の最大値であるときと、前記動作パラメータが前記可変範囲の最小値であるときとの少なくとも一方で、前記動作パラメータが他の値であるときと比べて前記光源の点灯・消灯の状態を異ならせるように、前記制御部によって制御されることを特徴とする。
【０００９】
上記の照明装置において、前記光源として、主光源と、補助光源とを備えていてもよい。
【００１０】
また、上記の照明装置において、前記制御部は、少なくとも１個の前記動作モードでは、前記動作パラメータが前記可変範囲の最大値であるときと、前記動作パラメータが前記可変範囲の最小値であるときとの少なくとも一方で、前記動作パラメータが他の値であるときと比べて前記主光源の点灯・消灯の状態を異ならせてもよい。
【００１１】
さらに、上記の照明装置において、前記制御部は、少なくとも１個の前記動作モードでは、前記動作パラメータが前記可変範囲の最大値であるときと、前記動作パラメータが前記可変範囲の最小値であるときとの少なくとも一方で、前記動作パラメータが他の値であるときと比べて前記補助光源の点灯・消灯の状態を異ならせてもよい。
【００１２】
また、上記の照明装置において、前記制御部は、少なくとも１個の前記動作モードでは、前記動作パラメータが前記可変範囲の最大値であるときのみ前記補助光源を点灯させてもよい。
【００１３】
さらに、上記の照明装置において、前記動作モード毎の前記動作パラメータが保存される記憶部を備え、前記制御部は、前記動作モードが変更されたときに、変更前の前記動作モードでの前記動作パラメータを前記記憶部に保存するとともに、変更後の前記動作モードでの前記動作パラメータを前記記憶部から読み出して以後の動作に用いることが望ましい。
【発明の効果】
【００１４】
本発明によれば、操作部への操作によって実現可能な点灯状態の数の割に、操作部の構造を単純化することができる。
【図面の簡単な説明】
【００１５】
【図１】本発明の実施形態を示すブロック図である。
【図２】同上の変更例におけるリモコン装置の一例を示す平面図である。
【発明を実施するための形態】
【００１６】
以下、本発明を実施するための最良の形態について、図面を参照しながら説明する。
【００１７】
本実施形態は、図１に示すように、操作入力に応じた無線信号を送信するリモコン装置２と、３種類の電気的な光源１０１〜１０３を有してリモコン装置２から受信された無線信号に応じて動作する本体装置１と備える。リモコン装置２は電池を電源とし、携行可能な寸法形状に形成される。また、本体装置１は、天井面（図示せず）に対して固定され、外部の交流電源（図示せず）から給電されて動作する。より具体的には、本体装置１は、上記の交流電源から入力された交流電力を適宜電圧の直流電力に変換して後述する各部に供給する電源回路（図示せず）を有する。上記の電源回路は、上記の交流電源との間で出入りするノイズを減衰させるフィルタ回路と、例えばダイオードブリッジからなり上記の交流電力を整流する整流回路と、整流回路の脈流出力を平滑化するとともに適宜電圧の直流電力に変換する直流電源回路（例えば昇圧チョッパ回路）とからなる。
【００１８】
リモコン装置２は、操作入力を受け付ける操作部２１と、操作部２１に受け付けられた操作入力に応じた無線信号を送信する送信部２２とを備える。操作部２１は、例えば複数個の押釦を有し、押操作された押釦に応じた電気信号を送信部２２に入力する。送信部２２は、操作部２１から入力された電気信号を無線信号に変換して送信する。
【００１９】
本体装置１は、光源１０１〜１０３として、下方に光を照射する主光源としての第１光源１０１と、水平方向に光を照射する第２光源１０２と、下方であって第１光源１０１よりも狭い範囲に光を照射する第３光源１０３とを備える。また、本体装置１は、１種類ずつの光源１０１〜１０３を駆動する３個の光源駆動部１１１〜１１３を備える。各光源１０１〜１０３はそれぞれ例えば発光ダイオードアレイからなる。また、各光源駆動部１１１〜１１３は、それぞれ、対応する光源１０１〜１０３を点灯させるための直流電力を生成する周知の直流電源回路（例えば降圧チョッパ回路）からなる。各光源駆動部１１１〜１１３は、後述する制御部１３から入力されたＰＷＭ信号（すなわち、オンデューティによって情報を伝達する矩形波の電気信号）のオンデューティに応じた光束で、対応する光源１０１〜１０３を点灯させる。光源１０１〜１０３の光束の変更は、例えば、光源１０１〜１０３への入力電流の電流値の変更によって実現される。なお、光源１０１〜１０３の光束の変更は、人の目に点滅として認識されない程度に十分に高い周波数で光源１０１〜１０３を間欠点灯させる際のオンデューティの変更（いわゆるバースト調光）によって実現されてもよい。
【００２０】
ここで、第１光源１０１は、電球色に発光する発光ダイオードと、白色に発光する発光ダイオードとの、２種類の発光ダイオードで構成されている。第１光源１０１を駆動する第１光源駆動部１１１は、制御部１３の制御に応じ、上記２種類の発光ダイオードの光束の比率を変化させることで、上記２種類の発光ダイオードの光が混色された第１光源１０１の全体としての光色を変化させる。具体的には、第１光源駆動部１１１は、例えば、それぞれ１種類ずつの発光ダイオードを点灯させる２個の直流電源回路の組み合わせで実現される。
【００２１】
なお、光源１０１〜１０３としては、上記のような発光ダイオードアレイに代えて、有機ＥＬなどの他の周知の電気的光源を用いてもよく、光源駆動部１１１〜１１３としては点灯させる光源１０１〜１０３の種別に応じた適宜の回路を採用すればよい。
【００２２】
また、本体装置１は、リモコン装置２から送信された無線信号を受信する受信部１２と、受信部１２に受信された無線信号に応じて各光源駆動部１１１〜１１３をそれぞれ制御する制御部１３とを備える。ここで、リモコン装置２から本体装置１に送信される無線信号の媒体としては赤外線や電波を用いることができ、いずれの場合にも送信部２２や受信部１２は周知技術で実現可能であるので詳細な図示並びに説明は省略する。
【００２３】
また、制御部１３は例えばマイコンからなり、予め設定された動作モードと動作パラメータとに応じて各光源駆動部１１１〜１１３を制御する。すなわち、制御部１３は、各光源駆動部１１１〜１１３を動作モードに応じた動作状態とすることで、動作モードに応じた光源１０１〜１０３を点灯させる。さらに、制御部１３は、動作モードに応じた光源駆動部１１１〜１１３に対しては、動作パラメータに応じたオンデューティのＰＷＭ信号を入力することで、動作モードに応じた光源１０１〜１０３の光束を動作パラメータに応じた光束とする。上記の動作モードは、動作モードの切替を指示する無線信号が受信部１２に受信されたときに切り替えられる。また、動作パラメータは、所定の可変範囲内での離散的な値をとる。すなわち、動作パラメータは、可変範囲の最大値に達するまでは、光束の増加を指示する無線信号が受信部１２に受信される毎に段階的に増加され、可変範囲の最大値に達した後は上記の無線信号が受信部に受信されても増加しない。また、動作パラメータは、可変範囲の最小値に達するまでは、光束の減少を指示する無線信号が受信部１２に受信される毎に段階的に減少され、可変範囲の最小値に達した後は上記の無線信号が受信部に受信されても減少しない。動作パラメータの取り得る値は、例えば可変範囲内の自然数である。
【００２４】
以下、本実施形態の特徴である、動作について説明する。動作モードは、次表に示すような第１〜第３動作モードから択一的に選択される。
【００２５】
【表１】
2013149480.tif 000003
第１動作モードでは、動作パラメータに関わらず第３光源１０３は消灯される。また、動作パラメータが最大値以外である期間には、第２光源１０２も消灯されて第１光源１０１のみの点灯とされる。このとき、第１光源１０１は、動作パラメータが大きいほど光束を大きくされ、動作パラメータが最小値であるときには光束の制御範囲の最大値に対する割合の百分率（以下、「調光率」と呼ぶ。）を５％とされ、動作パラメータが最大値よりも１段階小さいときに調光率を１００％にされる。さらに、動作パラメータが最大値である期間には、第１光源１０１の調光率は１００％のままで、第２光源１０２が定格点灯される。つまり、第１光源１０１の調光率が低い状態から徐々に光束の増加を指示する操作が行われた場合において、第１光源１０１の調光率が１００％となった状態からさらに光束の増加を指示する操作が行われると第２光源１０２の点灯が開始される。また、第２光源１０２が点灯した状態で、光束の低下を指示する操作が行われると、第２光源１０２が消灯される。言い換えると、第１動作モードでは、動作パラメータが最大値かそれ以外かで、補助光源としての第２光源１０２の点灯・消灯が切り替えられる。例えば、動作パラメータが取り得る値を５〜１０１の整数値（つまり全９７段階）とする場合、動作パラメータの値が１０１（可変範囲の最大値）のときのみ第２光源１０２が点灯され、動作パラメータが５〜１００であるときには第１光源１０１の調光率の値が動作パラメータの値と等しくされる。なお、動作パラメータと調光率との対応関係は上記に限られず、動作パラメータが１段階変更されたときの調光率の変更幅は、１％でなくてもよいし、動作パラメータの段階毎に均一でなくてもよい。
【００２６】
第２動作モードでは、動作パラメータに関わらず、第２光源１０２は消灯され、第３光源１０３は定格点灯される。また、第１光源１０１は、動作パラメータが最小値以外である期間には、動作パラメータが大きいほど光束を大きくされ、動作パラメータが最小値よりも１段階大きいときには調光率を５％とされ、動作パラメータが最大値であるときに調光率を１００％にされる。さらに、動作パラメータが最小値である期間には、第１光源１０１は消灯される。言い換えると、第２動作モードでは、動作パラメータが最小値かそれ以外かで、主光源としての第１光源１０１の点灯・消灯が切り替えられる。例えば、動作パラメータが取り得る値を４〜１００の整数値（つまり全９７段階）とする場合、動作パラメータの値が４（可変範囲の最小値）のときのみ第１光源１０１が消灯され、動作パラメータが５〜１００であるときには第１光源１０１の調光率の値が動作パラメータの値と等しくされる。なお、動作パラメータと調光率との対応関係は上記に限られず、動作パラメータが１段階変更されたときの調光率の変更幅は、１％でなくてもよいし、動作パラメータの段階毎に均一でなくてもよい。
【００２７】
第３動作モードでは、動作パラメータに関わらず第１光源１０１は消灯される。また、動作パラメータが最大値以外である期間には、第３光源１０３も消灯されて第２光源１０２のみの点灯とされる。このとき、第２光源１０２は、動作パラメータが大きいほど光束を大きくされ、動作パラメータが最小値であるときには調光率を５％とされ、動作パラメータが最大値よりも１段階小さいときに調光率を１００％に（つまり定格点灯）される。さらに、動作パラメータが最大値である期間には、第２光源１０２の調光率は１００％のままで、第３光源１０３が定格点灯される。つまり、第３動作モードは、第１動作モードに対して第１光源１０１と第２光源１０２とで動作を入れ替えるとともに第２光源１０２と第３光源１０３とで動作を入れ替えたようなものである。第３動作モードでは、動作パラメータが最大値かそれ以外かで、補助光源としての第３光源１０３の点灯・消灯が切り替えられる。
【００２８】
また、本体装置１には、動作モード毎の動作パラメータが保存される記憶部１４が設けられている。記憶部１４は周知の不揮発性メモリからなり、電源のオンオフに関わらず記憶部１４の内容は保存される。制御部１３は、動作モードが変更されたときに、変更前の動作モードでの動作パラメータを記憶部１４に保存するとともに、変更後の動作モードでの動作パラメータを記憶部１４から読み出して以後の動作に用いる。例えば、第１動作モードで動作パラメータが最大値とされた状態で第２動作モードに切り替えられ、その後に第２動作モードにおいて動作パラメータが最小値とされている場合でも、次に第１動作モードに切り替えられたときには動作パラメータは最大値とされる。また、その後に再度、第２動作モードに切り替えられた直後には、第１動作モードでの動作パラメータの値に関わらず、動作パラメータは以前に第２動作モードからの切り替えが行われる直前の値（上記の場合には最小値）とされる。さらに、第１光源１０１が点灯される各動作モード（第１動作モード及び第２動作モード）について、上記の動作パラメータと同様に、第１光源１０１の色温度（光色）が、動作モード毎に記憶部１４に保存されるようにしてもよい。
【００２９】
上記構成によれば、操作部２１への操作によって実現可能な点灯状態の数の割に、操作部２１の構造を単純化することができる。本実施形態の場合、動作モード毎に動作パラメータが特定の値（最大値又は最小値）かそれ以外かの２通りずつ計６通りの点灯状態が実現されるが、動作モードの個数自体は３個である。従って、リモコン装置２の操作部２１において、特定の動作モードへの切替を指示する押釦（以下、「モード切替釦」と呼ぶ。）を動作モード毎に設けたとしても、モード切替釦の個数は３個で済む。すなわち、実現可能な点灯状態の個数と同数のモード切替釦を設ける場合に比べ、モード切替釦の個数を少なくすることができる。
【００３０】
なお、光源１０１〜１０３の個数や動作モードの個数は上記に限られない。例えば、発光ダイオードからなり常夜灯として用いられる第４光源（図示せず）、並びに、これを駆動する第４光源駆動部（図示せず）を設けるとともに、この第４光源のみを点灯させる第４動作モードを設けてもよい。さらに、第３光源１０３のみを点灯させる第５動作モードを設けてもよい。上記のような第４動作モードと第５動作モードとを設けた場合、リモコン装置２の操作部２１は、例えば図２に示すようなものとなる。図２の例では、操作部２１は、押釦として、第１動作モードへの切替を指示する第１動作モード釦２１ａと、第２動作モードへの切替を指示する第２動作モード釦２１ｂと、第３動作モードへの切替を指示する第３動作モード釦２１ｃとを有する。また、図２の操作部２１は、第４動作モードへの切替を指示する第４動作モード釦２１ｄと、第５動作モードへの切替を指示する第５動作モード釦２１ｅと、全ての光源１０１〜１０３の消灯を指示する消灯釦２１ｆとを有する。さらに、図２の操作部２１は、光束の増加を指示する光束増釦２１ｇと、光束の減少を指示する光束減釦２１ｈと、第１光源１０１の色温度の上昇を指示する色温度上昇釦２１ｉと、第１光源１０１の色温度の低下を指示する色温度低下釦２１ｊとを有する。
【００３１】
また、ある動作モードにおいて動作パラメータの影響を受けない光源１０１〜１０３の光束が、該光源１０１〜１０３の光束が動作パラメータに応じて変更されるような他の動作モードでの動作パラメータに応じた光束とされてもよい。具体的には例えば、第５動作モードで第３光源１０３の光束が動作パラメータに応じて変更される場合に、制御部１３が、第２動作モードにおいて、第３光源１０３の光束を、第５動作モードでの動作パラメータに応じた光束（つまり第５動作モードでの光束）とする。
【００３２】
また、周囲の明るさを検出する明るさセンサ（図示せず）を設けるとともに、この明るさセンサによって検出される明るさを一定に維持するように制御部１３が第１光源１０１の調光率を自動的に変更するような動作モードを設けてもよい。上記の明るさセンサは例えばフォトダイオードのような周知の受光素子を用いて実現可能である。
【００３３】
さらに、動作パラメータとしては、上記のように光束（調光率）に対応付けられるもののほか、第１光源１０１の色温度に対応付けられるものも考えられる。具体的には例えば、動作パラメータが低いほど第１光源１０１において電球色の発光ダイオードの光束の比率が高くされることで第１光源１０１全体としての色温度が低くされ、動作パラメータが最小値である期間にのみ電球色の第２光源１０２が点灯されるような動作モードを設けてもよい。
【００３４】
また、操作部２１への操作入力に応じて、動作パラメータと実際の動作（調光率など）との対応関係や、動作パラメータの可変範囲が切り替えられるようにしてもよい。具体的には例えば、リモコン装置２では、操作部２１の所定の押釦が所定時間（例えば２秒間）以上継続して押操作されたときに送信部２２が所定の無線信号を送信する。そして、本体装置１では、上記所定の無線信号が受信部１２に受信されたときに、制御部１３は、調光率の上限を８０％にし、又は、調光率の下限を２０％にする。
【符号の説明】
【００３５】
１３  制御部
１４  記憶部
２１  操作部
１０１  第１光源（主光源）
１０２  第２光源（補助光源）
１０３  第３光源（補助光源）
１１１  第１光源駆動部
１１２  第２光源駆動部
１１３  第３光源駆動部
【図１】
2013149480.tif 000004
【図２】
2013149480.tif 000005